(57)【特許請求の範囲】
【請求項１】
容器体口頸部に嵌合させた装着筒上部内から、該装着筒よりも小外径で有頂の基筒部を起立し、該基筒部頂壁を貫設して起立する主筒前面からシリンダを、主筒上端部から射出筒を、それぞれ前方突設し、射出筒前部に枢着させて垂設したトリガーの上方後部に、上記シリンダ内へ嵌合させたプランジャ前部を係合させたトリガー式の液体噴出容器において、
上記基筒部３の上部内に空間を残して、該基筒部内へ倒立時用液体吸込み筒21上部を嵌合させると共に、該液体吸込み筒の中間部に弁付き筒41を、下部内面に吸上げパイプ取付け筒51を、それぞれ嵌着させ、
上記液体吸込み筒上面を閉塞する頂板22から垂設した垂下筒23内へ上記主筒６下端部を水密に嵌合させると共に、上記弁付き筒41と吸上げパイプ取付筒51とが有する各第１、第２横壁42,52 にそれぞれ貫設した第１縦筒44と第２縦筒54とを介して、該第２縦筒から垂設した吸上げパイプ56と主筒６とを連通させて、正立時用液体吸込み路を設け、
上記基筒部３の下端よりも下方へ垂下する倒立時用液体吸込み筒部分の上端前部に倒立時用液体吸込み口27を穿設すると共に、該吸込み口下縁に近接する弁付き筒の第１横壁前方部分に下部小径のテーパ状弁座45を設け、かつ該弁座上へ玉弁61を載置させて正立時用空気吸込み防止弁62を形成すると共に、その玉弁の側部上方を囲んで弁室31を形成し、かつ該弁室前面を斜上後方への傾斜面28として該傾斜面下端を玉弁上部前面へ近接させ、
又弁付き筒の第１横壁42と吸上げパイプ取付け筒の第２横壁52との間に介在する第１又は第２縦筒部分前部に開口48を設けて上記弁座下端の弁孔46と液体吸込み路とを連通させた
ことを特徴とする正倒立両用トリガー式液体噴出容器。
【請求項２】
容器体口頸部に嵌合させた装着筒上部内から、該装着筒よりも小外径で有頂の基筒部を起立し、該基筒部頂壁を貫設して起立する主筒前面からシリンダを、主筒上端部から射出筒を、それぞれ前方突設し、射出筒前部に枢着させて垂設したトリガーの上方後部に、上記シリンダ内へ嵌合させたプランジャ前部を係合させたトリガー式の液体噴出容器において、
上記基筒部３に上部内に空間を残して、該基筒部内へ倒立時用液体吸込み筒21上部を嵌合させると共に、該液体吸込み筒の中間部に弁付き筒41を、下部内面に吸上げパイプ取付け筒51を、それぞれ嵌着させ、
上記液体吸込み筒21上面を閉塞する頂板22後部に貫設させた立筒25a 上部を上記主筒６の下部内へ水密に嵌合させると共に、上記弁付き筒41が有する第１横壁42の後部を開口し、該開口周縁から起立させた第１縦筒44上部を、上記立筒25a の下部外面へ嵌合させ、又吸上げパイプ取付筒51が有する第２横壁52後部に貫設した第２縦筒54と、上記第１縦筒44および立筒25a を介して、第２縦筒54下端から垂設した吸上げパイプ56と主筒６とを連通させて、正立時用液体吸込み路を設け、
上記基筒部３の下端よりも下方へ垂下する倒立時用液体吸込み筒21部分の上端前部に倒立時用液体吸込み口27を穿設すると共に、該吸込み口下縁に近接する弁付き筒41の第１横壁42前方部分に下部小径のテーパ状弁座45を設け、かつ該弁座上へ玉弁61を載置させて正立時用空気吸込み防止弁62を形成すると共に、その玉弁の側部上方を囲んで弁室31を形成し、かつ該弁室前面を斜上後方への傾斜面28として該傾斜面下端を玉弁上部前面へ近接させると共に弁座45後部内面から上記第１縦筒44の下部前面へ、上後方への傾斜縦条49を付設し、
又弁付き筒の第１横壁42と吸上げパイプ取付け筒の第２横壁52との間に介在する第１又は第２縦筒部分前部に開口48を設けて上記弁座下端の弁孔46と液体吸込み路とを連通させた
ことを特徴とする正倒立両用トリガー式液体噴出容器。
【請求項３】
倒立時用液体吸込み口27を、容器体口頸部外面へ嵌合させた装着筒２の下端面よりも、上方の口頸部部分内に位置させた
ことを特徴とする請求項１又は２記載の正倒立両用トリガー式液体噴出容器。
【請求項４】
基筒部の頂壁５前部に、シリンダ内と連通する外気供給路16の出口孔としての第１透孔16a を穿設し、該第１透孔下方の基筒部頂壁部分を隆起させて上面閉塞の短筒26を設け、
又筒体72上端面から等間隔に起立する複数の弾性螺条片73上端に弁板74を付設した弁部材75を設けて、上記筒体を短筒26外面へ嵌着させ、かつ弁板74を圧接させることで第１透孔下面を閉塞させ、
上記倒立時用液体吸込み口から周方向へ離れた倒立時用液体吸込み筒21の上部外面ないし該外面と対向する基筒部３内面へ、基筒部の上部内空間と容器体内とを連通する溝32を縦設した
ことを特徴とする、請求項１、２、又は３記載の正倒立両用トリガー式液体噴出容器。
【請求項５】
上記容器体は、胴部の中心軸線に対して下方を大きく前方へ張出しさせると共に、吸上げパイプ56は下前方へ屈曲させて下端を容器体底壁の前端部に近接させた
ことを特徴とする請求項１、２、３、又は４記載の正倒立両用トリガー式液体噴出容器。
【発明の詳細な説明】
【０００１】
【発明の属する技術分野】
本発明は正倒立両用のトリガー式液体噴出容器に関する。
【０００２】
【従来の技術】
容器体口頸部に嵌合させた装着筒上部内から、該装着筒よりも小外径で有頂の基筒部を起立し、該基筒部頂壁を貫設して起立する主筒前面からシリンダを、主筒上端部から射出筒を、それぞれ前方突設し、射出筒前部に枢着させて垂設したトリガーの上方後部に、上記シリンダ内へ嵌合させたプランジャ前部を係合させたトリガー式の液体噴出容器が広く使用されている。又液体噴出による容器体内液体減少による負圧化を、基筒部頂壁の前部内とシリンダ内とを連通する外気供給路を設けて、シリンダ内プランジャが前限にある状態ではシリンダ内面側がプランジャにより閉塞されていて、トリガー操作によりプランジャがシリンダ内を後退したとき開通するように設けることで、上記負圧化を解消することも知られている。
【０００３】
【発明が解決しようとする課題】
上記従来のトリガー式液体噴出容器は、正立状態で使用するよう設けられているが、用途の拡大により倒立状態での使用も可能とすることが望まれている。
【０００４】
本発明は弁付き筒と吸上げパイプ取付筒とを嵌合させた、倒立時用液体吸込み筒上部を従来液体噴出器の基筒部の下部内へ嵌合させて垂下させるだけで、正倒立両用の液体噴出容器とすることが出来るよう設けたものである。
【０００５】
【課題を解決するための手段】
第１の手段として、容器体口頸部に嵌合させた装着筒上部内から、該装着筒よりも小外径で有頂の基筒部を起立し、該基筒部頂壁を貫設して起立する主筒前面からシリンダを、主筒上端部から射出筒を、それぞれ前方突設し、射出筒前部に枢着させて垂設したトリガーの上方後部に、上記シリンダ内へ嵌合させたプランジャ前部を係合させたトリガー式の液体噴出容器において、
上記基筒部３の上部内に空間を残して、該基筒部内へ倒立時用液体吸込み筒21上部を嵌合させると共に、該液体吸込み筒の中間部に弁付き筒41を、下部内面に吸上げパイプ取付け筒51を、それぞれ嵌着させ、
上記液体吸込み筒上面を閉塞する頂板22から垂設した垂下筒23内へ上記主筒６下端部を水密に嵌合させると共に、上記弁付き筒41と吸上げパイプ取付筒51とが有する各第１、第２横壁42,52 にそれぞれ貫設した第１縦筒44と第２縦筒54とを介して、該第２縦筒から垂設した吸上げパイプ56と主筒６とを連通させて、正立時用液体吸込み路を設け、
上記基筒部３の下端よりも下方へ垂下する倒立時用液体吸込み筒部分の上端前部に倒立時用液体吸込み口27を穿設すると共に、該吸込み口下縁に近接する弁付き筒の第１横壁前方部分に下部小径のテーパ状弁座45を設け、かつ該弁座上へ玉弁61を載置させて正立時用空気吸込み防止弁62を形成すると共に、その玉弁の側部上方を囲んで弁室31を形成し、かつ該弁室前面を斜上後方への傾斜面28として該傾斜面下端を玉弁上部前面へ近接させ、
又弁付き筒の第１横壁42と吸上げパイプ取付け筒の第２横壁52との間に介在する第１又は第２縦筒部分前部に開口48を設けて上記弁座下端の弁孔46と液体吸込み路とを連通させた。
【０００６】
第２の手段として、容器体口頸部に嵌合させた装着筒上部内から、該装着筒よりも小外径で有頂の基筒部を起立し、該基筒部頂壁を貫設して起立する主筒前面からシリンダを、主筒上端部から射出筒を、それぞれ前方突設し、射出筒前部に枢着させて垂設したトリガーの上方後部に、上記シリンダ内へ嵌合させたプランジャ前部を係合させたトリガー式の液体噴出容器において、
上記基筒部３に上部内に空間を残して、該基筒部内へ倒立時用液体吸込み筒21上部を嵌合させると共に、該液体吸込み筒の中間部に弁付き筒41を、下部内面に吸上げパイプ取付け筒51を、それぞれ嵌着させ、
上記液体吸込み筒21上面を閉塞する頂板22後部に貫設させた立筒25a 上部を上記主筒６の下部内へ水密に嵌合させると共に、上記弁付き筒41が有する第１横壁42の後部を開口し、該開口周縁から起立させた第１縦筒44上部を、上記立筒25a の下部外面へ嵌合させ、又吸上げパイプ取付筒51が有する第２横壁52後部に貫設した第２縦筒54と、上記第１縦筒44および立筒25a を介して、第２縦筒54下端から垂設した吸上げパイプ56と主筒６とを連通させて、正立時用液体吸込み路を設け、
上記基筒部３の下端よりも下方へ垂下する倒立時用液体吸込み筒21部分の上端前部に倒立時用液体吸込み口27を穿設すると共に、該吸込み口下縁に近接する弁付き筒41の第１横壁42前方部分に下部小径のテーパ状弁座45を設け、かつ該弁座上へ玉弁61を載置させて正立時用空気吸込み防止弁62を形成すると共に、その玉弁の側部上方を囲んで弁室31を形成し、かつ該弁室前面を斜上後方への傾斜面28として該傾斜面下端を玉弁上部前面へ近接させると共に弁座45後部内面から上記第１縦筒44の下部前面へ、上後方への傾斜縦条48を付設し、
又弁付き筒の第１横壁42と吸上げパイプ取付け筒の第２横壁52との間に介在する第１又は第２縦筒部分前部に開口48を設けて上記弁座下端の弁孔46と液体吸込み路とを連通させた。
【０００７】
第３の手段として、上記第１、又は第２の手段を有すると共に倒立時用液体吸込み口27を、容器体口頸部外面へ嵌合させた装着筒２の下端面よりも、上方の口頸部部分内に位置させた。
【０００８】
第４の手段として、上記第１第２又は第３の手段を有すると共に基筒部の頂壁５前部に、シリンダ内と連通する外気供給路16の出口孔としての第１透孔16a を穿設し、該第１透孔下方の基筒部頂壁部分を隆起させて上面閉塞の短筒26を設け、
又筒体72上端面から等間隔に起立する複数の弾性螺条片73上端に弁板74を付設した弁部材75を設けて、上記筒体を短筒26外面へ嵌着させ、かつ弁板74を圧接させることで第１透孔下面を閉塞させ、
上記倒立時用液体吸込み口から周方向へ離れた倒立時用液体吸込み筒21の上部外面ないし該外面と対向する基筒部３内面へ、基筒部の上部内空間と容器体内とを連通する溝32を縦設した。
【０００９】
第５の手段として、上記第１、第２、第３又は第４の手段を有すると共に上記容器体は、胴部の中心軸線に対して下方を大きく前方へ張出しさせると共に、吸上げパイプ56は下前方へ屈曲させて下端を容器体底壁の前端部に近接させた。
【００１０】
【発明の実施の形態】
以下図面について説明する。まず従来公知の部分について簡単に説明すると、  1 は容器体、２はその容器体口頸部外面へ螺合させた装着筒で、該装着筒内から該装着筒よりも小外径で有頂の基筒部３を、装着筒上端に付設した内向きフランジ下面へ、基筒部の下部外面に付設した外向きフランジ４を係合させて起立し、該基筒部頂壁５の後部から主筒６を、該主筒下部を頂壁に貫設して起立する。図示例では頂壁上方の主筒部分を内外二重筒で形成しており、その外筒部分前面からシリンダ７を、外筒部分上端から射出筒８を、それぞれ前方突出し、シリンダ後部下壁部分を兼用壁として設けた外筒部分下方の外向きフランジ壁９外周から周壁10を垂設して該周壁を上記基筒部３の上方部分外面へ嵌合させている。
【００１１】
上記射出筒８の前端部には連結筒を介してノズル筒11を回動可能に嵌合させ、又射出筒前部に枢着させてトリガー12を揺動可能に垂下し、該トリガーの上部後面に、上記シリンダ内へ嵌合させたプランジャ13の前端部を係止させている。尚14は吸込み弁、15は吐出弁で、上記トリガー操作によるプランジャのシリンダ内摺動で容器体内液体を上記主筒下端から垂下させた吸上げパイプ、吸込み弁を介してシリンダ内へ吸込み、かつ該シリンダ内液体を吐出弁、射出筒を介してノズル筒が有するノズル孔から噴出可能としている。尚液体噴出により容器体内が負圧化すると、基筒部３頂壁の前部に穿設した第１透孔16a とシリンダ底部に穿設した第２透孔16b とを連通させて形成している外気供給路16が、トリガー引寄せ操作によるプランジャ13後退の際、上記第２透孔が開口されることで、そのシリンダを介して外気と基筒部３内とを連通し、上記負圧化を解消する。
【００１２】
本発明にあっては上記基筒部３の上部内に空間を残して、その基筒部内から倒立時用液体吸込み筒21を垂下させる。又その液体吸込み筒内へは、後述の弁付き筒と吸上げパイプ取付け筒とを嵌合させる。
【００１３】
まず図１から図８が示す第１実施形態について説明すると、上記液体吸込み筒  21は、該筒上面を閉塞する頂板22後部から図５が示すように垂下筒23を垂下し、該垂下筒下端から内向きフランジ24を突設し、該フランジ内周を上記垂下筒に貫通させた嵌合筒25の下部外面に付設している。該嵌合筒と垂下筒23とは同一の軸線を有する二重筒状とする。又既述外気供給路16の第１透孔16a 下方の頂板部分を隆起させて、上面閉塞の短筒26を起立している。
【００１４】
又基筒部３の下端よりも下方へ垂下する液体吸込み筒21部分の上端前部に倒立時用の液体吸込み口27を図４が示すように穿設し、その吸込み口左右方向中間部下端から、その上方の基筒部前部内面に、後面を斜下前方への傾斜面28とするガイド板29を縦設し、かつ該板上部を上記短筒内および垂下筒23の前面まで延長している。又上記液体吸込み口27の左右両側からは、斜上後方へ側板30,30 を起立し、これ等両側板とこれ等両側板間後方の垂下筒23前面とで弁室31を形成している。
【００１５】
弁付き筒41は、図６が示すように第１横壁42外周から第１外筒43を垂下し、又その第１横壁後部を開口して、該開口周縁から第１縦筒44を垂下し、又その横壁前部に下部小径のテーパ状弁座45を設けてその弁座下端を弁孔46としている。図が示すようにその弁座上方前部の第１外筒上端部は、既述倒立時用の液体吸込み口27を閉塞しないよう切欠き47するとよい。第１縦筒44の下端前部も切欠きして開口48する。
【００１６】
吸上げパイプ取付筒51は、図７が示すように、第２横壁52外周から第２外筒53を垂下し、又その第２横壁52後部を開口して、該開口周縁から第２縦筒54を垂下している。図示例では第２横壁の前部上面を凹面55として既述弁座45を有する第１横壁部分下面との間に間隙を設けている。第２縦筒54内へは吸上げパイプ56の上部を緊密に嵌着させている。
【００１７】
図示例では倒立時用液体吸込み筒21の嵌合筒25下部を、弁付き筒41の第１縦筒44上部内へ嵌合させ、又その第１縦筒下端面と吸上げパイプ取付筒51の第２縦筒54上端面とを水密に接して、それ等吸上げパイプ56と、第２縦筒54と、第１縦筒44と嵌合筒25と主筒６とで、正立時用の液体吸込み路を形成している。
【００１８】
既述テーパ状弁座45上へは玉弁61を載置し、該玉弁と弁座下端の弁孔46とで、正立時用の空気吸込み防止弁62を形成する。その玉弁61の上部前面へは、既述倒立時用液体吸込み筒21の傾斜面28下端が近接するよう設ける。
【００１９】
又既述短筒26外面へは、図８が示すように筒体72上端面から等間隔に起立する複数の弾性螺条片73上端に弁板74を付設した弁部材75を設けて、上記筒体を短筒26外面へ嵌合させ、かつ弾性螺条片73の弾性で上記弁板74を、基筒部３頂壁前部に穿設した第１透孔16a 下面へ圧接させて閉塞させる。これ等弁板と第１透孔とは外気吸入弁76を形成するもので、容器体内が負圧化したとき、その外気吸入弁を開いて基筒部３の上部内へ入った空気は、図５が示すように倒立時用液体吸込み口27から周方向へ離れて、液体吸込み筒21の上部外面に縦設した溝32を通って容器体内へ入るよう設けている。尚当然のこと乍ら、その溝は基筒部３の内面に穿設してもよい。
【００２０】
既述容器体１は、胴部の中心軸線に対して、下方内部を大きく前方へ張出しさせ、又吸上げパイプ56は中間部から下前方へ屈曲させて、その下端が形成する正立時用の液体吸込み口を、容器体底壁の前端部に近接させている。
【００２１】
図示例では、正立時用液体吸込み路を、吸上げパイプ56と第２縦筒54と第１縦筒44と嵌合筒25と主筒６とで形成したが、例えば第１縦筒44を上方へ延長して直接主筒下部内へ嵌合させて上記正立時用の液体吸込み路とすることも可能である。又図示例では、倒立時用の液体吸込み路を、倒立時用液体吸込み口27と、弁室31と、弁孔46と、第１、第２横壁42,52 間の間隙と、第１縦筒44に穿設した開口48とで形成するが、その開口48は、第１縦筒44への穿設に代えて、吸上げパイプ取付け筒の第２縦筒54を上方へ延長して、該延長筒部分に穿設してもよいことは当然である。
【００２２】
倒立時用液体吸込み口27は、図１、図２が示すように、容器体口頸部外面へ嵌合させる装着筒２の下端面よりも上方の口頸部部分内に位置させている。
【００２３】
尚既述外気吸入弁76の形成は、必要により設ければよく、又容器体下部の前方張出しおよび吸上げパイプ56の前方屈曲も同様である。
【００２４】
上記構成において、容器体内に適当量の液体を入れておき、容器体正立状態でトリガー操作をすると、倒立時用液体吸込み口27は容器体内液面上方で開口するが、その吸込み口から開口48にいたる倒立時用液体吸込み路の途中に正立時用空気吸込み防止弁62を設けているため、その倒立時用液体吸込み路を通って液面上方の空気がシリンダに入ることはなく、よって通常のトリガー式液体噴出容器の場合と同様に容器体内液体は、その正立時用液体吸込み路を通り、吸込み弁14を通ってシリンダ内へ吸込みされ、又そのシリンダ内液体はプランジャ後退によるシリンダ内高圧化で吐出弁15を通り、射出筒前端のノズル筒から噴出される。
【００２５】
次に容器体を倒立させると、吸上げパイプ56下端は液面上方へ露出し、倒立時用液体吸込み口27は水中に没し、又玉弁61は自重で弁室31上方へ移動し、よって正立時用空気吸込み防止弁62は開弁する。
【００２６】
該状態でのトリガー操作でシリンダ７内が負圧化すると、既述倒立時用液体吸込み路を通って開口48から正立時用液体吸込み路内へ入った液体はシリンダ７内へ吸込みされ、プランジャ後退によるシリンダ内高圧化で吐出弁15を開いて射出筒を通り、ノズル筒から噴出される。尚吸上げパイプ56下端は液面上方へ露出しているが、該パイプ内に入っている液体は、倒立時用液体吸込み路を介して容器体内液体と連通するため、該パイプ内液体の液面と容器体内液体の液面とはほぼ等しい位置にあり、よって上記シリンダ内への液体吸込み時に上記パイプ内を通って空気がシリンダ内へ入ることはない。該倒立使用時に液体が減少して容器体内が負圧化すると、プランジャ13後退で外気供給路16および外気吸入弁76が開き、このようにして基筒部３の上部内へ入った外気は、倒立時用液体吸込み筒21の上部外面に縦設した溝32を通り、気泡となって水中を上昇し、液面上方へ放出され、上記負圧状態を解消する。尚その溝32は倒立時用液体吸込み口27から周方向へ離れて設けてあるため、その倒立時用液体吸込み口27から吸込まれる液体と共に上記気泡が吸込みされることはない。
【００２７】
本発明は射出筒８が下向きで、かつ容器体がほぼ水平となった状態ででも液体噴出できるようにしている。
【００２８】
即ち、そのようにしたとき、倒立時用液体吸込み口27は下方（正立時における側方）へ開口することとなり、かつ正立時用空気吸込み防止弁62の玉弁61は弁座45を離れるが、弁室31前面の傾斜面28下端へ上部前面を接して停止する。このとき容器体胴部の下部前方張出し部分はその水平状態で下方へ張出すこととなり、吸上げパイプ56下端もその下方張出し部分内に位置することとなるため、その容器体水平状態で容器体内液面が上記倒立時用液体吸込み口27よりも上方にあれば、それ等両液体吸込み口は共に水中にあることとなり、よってトリガー操作で液体噴出出来る。
【００２９】
該容器体水平状態において更に液体が減少して容器体内液面が倒立時用液体吸込み口27よりも下方に位置することとなった場合は、シリンダ内が負圧化したとき、その吸込み口27から容器体内空気を吸込む筈であるが、上記のように玉弁61が傾斜面28に接していて弁座45に近接する位置にあるため、上記空気吸込みと同時に玉弁61は弁孔46に吸付けられて該正立時用空気吸込み防止弁62を閉塞することとなり、よって正立時用液体吸込み路を通って容器体内液体が吸上げられることとなるものである。
【００３０】
図９は第２実施形態を示す。該実施形態は、主として既述第１実施形態における、倒立時用液体吸込み筒21の一部と弁付き筒41の一部とを変更したものであり、非変更部分については同一符号を付設して説明を省略する。倒立時用液体吸込み筒21は、その上面を閉塞する頂板22の後部に立筒25a を貫設し、該主筒上部を主筒６の下部内へ水密に嵌合させている。又弁付き筒41は、その上面を閉塞する第１横壁42の後部を開口し、該開口周縁から起立させた第１縦筒44上部を上記立筒25a の下部外面へ水密に嵌合させている。又弁座45の後部内面から第１縦筒44の下部前面へ、上後方への傾斜縦条49を付設している。更に弁座45上縁の左右両側からは側板30a,30a を起立させて、第１実施形態における側板30,30 に代えている。
【００３１】
該実施形態の場合は弁室31を、弁付き部材41が有する弁座45と、第１縦筒44の前面と、側板30a,30a と、倒立時用液体吸込み筒21が有する頂板22の前部下面と、ガイド板29とで形成することとなる。
【００３２】
作用については第１実施形態の場合と同じであり、よって説明は省略する。
【００３３】
【発明の効果】
本発明は既述構成とするもので、頂板22から垂下筒23を垂設する倒立時用液体吸込み筒21の中間部内に弁付き筒41を、かつ下部内に吸上げパイプ取付筒51を、それぞれ嵌合させて、その倒立時用液体吸込み筒21上部を従来のトリガー式液体噴出器の基筒部３内へ、かつ上記垂下筒23内へ主筒６下部をそれぞれ嵌合させるから、それ等三部材をコンパクトにかつ一体的に嵌合させることが出来ると共に、それ等を基筒部に対して確実かつ安全に取付けできる。又上記弁付き筒41と吸上げパイプ取付筒51とが有する第１横壁42と第２横壁52とにそれぞれ貫設した第１縦筒44と第２縦筒54とを介して、第２縦筒から垂設した吸上げパイプ56と主筒６とを連通させて正立時用液体吸込み路を形成するから、その形成が容易である。
【００３４】
倒立時用液体吸込み筒21前部に穿設した倒立時用液体吸込み口27下縁に近接する弁付き筒第１横壁前部に下部小径のテーパ状弁座45を設け、該弁座上へ載置させた玉弁61の上部前面へ下端を近接させて、斜上後方への傾斜面28を形成したから、又玉弁61の側部上方を囲んで弁室31とし、該弁室前面を上記傾斜面で形成したから、射出筒前部を下方へ向けて容器体をほぼ水平とした状態でも玉弁61は上記傾斜面下端に接して弁座45に近接する位置に停止することとなり、よって該容器体水平状態においても倒立時用空気吸込み防止弁62は作用することとなり、該容器体水平状態での液体噴出が可能である。
【００３５】
請求項２の場合のように第１縦筒44上部を立筒25a の下部外面へ嵌合させると共に、弁座45の後部内面から第１縦筒44の下部前面へ、上方向への傾斜縦条49を付設することで、容器体倒立時における弁室上部内への玉弁61の移動が容易かつ確実とすることが出来る。
【００３６】
請求項３記載のように、倒立時用液体吸込み口27を、容器体口頸部外面へ嵌合させた装着筒２の下端面よりも上方の口頸部部分内へ位置させることで、容器体内液体が極めて少なくなった後でも容器倒立状態での液体噴出が可能である。
【００３７】
請求項４記載のように、基筒部３の頂壁５前部にシリンダ内と連通する外気供給路16の出口孔としての第１透孔16a を穿設し、該第１透孔下面へ、基筒部頂壁から起立する短筒26に嵌合させた弁部材75の弁板74を圧接させて閉塞することで、容器倒立使用時にその第１透孔16a からの液洩れを防止でき、又その第１透孔から基筒部３の上部内へ入った外気が、容器体内へ流入するための溝32を、倒立時用液体吸込み口27から周方向へ離れた液体吸込み筒21の上部外面ないし、該外面と対向する基筒部３の内面に縦設したから、容器体倒立使用時にその溝を通り気泡となって容器体液面上方へ上昇する外気が、上記倒立時用液体吸込み口27から吸込みされる液体と共にシリンダ内へ吸込みされることを防ぐことが出来る。
【００３８】
請求項５のように、容器体胴部の下方を大きく前方へ張出しさせ、かつ吸上げパイプを下前方へ屈曲させ、その下端を容器体底壁の前端部上へ位置させることで、容器体内液体をほぼ使い尽くすことが出来る。
【図面の簡単な説明】
【図１】  本発明液体噴出容器の断面図である。
【図２】  図１要部の拡大図である。
【図３】  図１要部の拡大横断面図である。
【図４】  図１要部の前面図である。
【図５】  図１の主要部材を縦断して示す斜視図である。
【図６】  図１主要部材を縦断して示す斜視図である。
【図７】  図１主要部材を縦断して示す斜視図である。
【図８】  図１主要部材の斜視図である。
【図９】  別実施形態で示す要部の拡大図である。
【符号の説明】
21…倒立時用液体吸込み筒            27…倒立時用液体吸込み口
41…弁付き筒                        51…吸上げパイプ取付筒
62…正立時用空気吸込み防止弁
【図１】
0003751484.tif 000002
【図２】
0003751484.tif 000003
【図３】
0003751484.tif 000004
【図４】
0003751484.tif 000005
【図５】
0003751484.tif 000006
【図６】
0003751484.tif 000007
【図７】
0003751484.tif 000008
【図８】
0003751484.tif 000009
【図９】
0003751484.tif 000010